(57)【特許請求の範囲】
【請求項１】
ベルトの一端側に固定された雄バックルと、ベルトの他端側に固定され前記雄バックルが挿入可能な雌バックルとからなり、雄バックルの挿入時に両者の係合をロックするとともに当該係合の解除操作をユーザから受け付けるロック部を有するバックル本体と、
前記バックル本体の雄バックルまたは雌バックルのいずれか一方に開閉自在に設けられ、開状態の際には前記ロック部を露出させ、閉状態の際には前記ロック部を遮蔽するロックカバーと、
を含み、
前記ロックカバーは、前記本体部と係合することで前記閉状態を維持する状態と、当該ロックカバーの閉状態から開状態への移行を許容する状態と、に切り替え可能な係合部材を備える
ことを特徴とするロックカバー付きバックル。
【請求項２】
請求項１記載のバックルにおいて、
前記係合部材は、回転自在な回転板を有し、当該回転板に形成された係合子と前記バックル本体に形成された係合子とが係合することによって、ロックカバーを閉状態に維持することを特徴とするロックカバー付きバックル。
【請求項３】
請求項２記載のバックルにおいて、
前記係合部材の回転板は、当該回転板を回転させる回転手段が挿入される溝を有することを特徴とするロックカバー付きバックル。
【発明の詳細な説明】
【０００１】
【発明の属する技術分野】
本発明は、ロックカバー付きバックル、特にバックルの誤開放を防止するためのロックカバーを有するロックカバー付きバックルに関する。
【０００２】
【従来の技術】
一般に、バックや荷物等を携帯したり所定位置に固定するためにロープやストラップ等のベルトが使用される。この時、バックや荷物の携帯や固定、または、携帯や固定の位置からの取り外しを容易に行うために、前記ベルトの接続や分離を行う簡易型のバックルが多用される。
【０００３】
図５は、一般的なバックル１０を示す概略図であり、ベルト１２ａの端部には矢印Ａ1，Ａ2方向にバネ性を有する係合爪１４ａを有する雄バックル１４が固定されている。また、ベルト１２ｂの端部には前記係合爪１４ａが挿入可能な溝１６ａを有する雌バックル１６が固定され、前記雄バックル１４と雌バックル１６とでバックル本体１０を形成している。
【０００４】
前記雄バックル１４と雌バックル１６とを接続する場合は、雌バックル１６の溝１６ａに前記雄バックル１４の係合爪１４ａを矢印Ａ1，Ａ2方向に撓ませながら押し込む。前記雌バックル１６の溝１６ａは途中で開放口１６ｂと連通しているので、撓みながら挿入された雄バックル１４の係合爪１４ａの撓みは開放口１６ｂの部分で開放され元の形状に復帰する。この時、係合爪１４ａの係合部１４ｂが開放口１６ｂの係合部１６ｃに係合して、前記雄バックル１４と雌バックル１６との接続及びロック固定が行われる。
【０００５】
また、ロック状態を開放する場合は、開放口１６ｂから露出した係合爪１４ａを矢印Ａ1，Ａ2方向に付勢しながら溝１６ａから係合爪１４ａを抜けば、容易に開放することができる。なお、前記雄バックル１４と雌バックル１６は、１本のベルトの両端に固定されてもよいし、異なる２本のベルトに固定されてもよい。いずれの場合もベルトの中間部分にバックや荷物等が装着され、そのバックや荷物の携帯や固定を良好に行うことができる。
【０００６】
【発明が解決しようとする課題】
しかし、従来のバックル本体１０は、前記雄バックル１４と雌バックル１６との係合の開放は、露出した係合爪１４ａの付勢のみで容易に行われてしまうため、不用意に手や物が係合爪１４ａに触れてしまった時に係合が外れてしまうという問題がある。特に、精密機械や薬品の入った容器等誤って落としてしまってはいけない物や誤って固定を開放してはいけない物にバックルを使用する場合には前述の問題が重大性を有する。
【０００７】
本発明は、このような問題を解決することを課題としてなされたものであり、バックルの誤開放を確実に防止すると共に、バックルの係合及び開放の容易性を維持することのできるロックカバー付きバックルを提供することを目的とする。
【０００８】
【課題を解決するための手段】
上記のような目的を達成するために、本発明の構成は、ベルトの一端側に固定された雄バックルと、ベルトの他端側に固定され前記雄バックルが挿入可能な雌バックルとからなり、雄バックルの挿入時に両者の係合をロックするとともに当該係合の解除操作をユーザから受け付けるロック部を有するバックル本体と、前記バックル本体の雄バックルまたは雌バックルのいずれか一方に開閉自在に設けられ、開状態の際には前記ロック部を露出させ、閉状態の際には前記ロック部を遮蔽するロックカバーと、を含み、前記ロックカバーは、前記本体部と係合することで前記閉状態を維持する状態と、当該ロックカバーの閉状態から開状態への移行を許容する状態と、に切り替え可能な係合部材を備える  ことを特徴とする。
【０００９】
この構成によれば、ロック部がロックカバーにより完全に覆われるので、誤って触れてしまうことが防止され、誤開放を確実に防止することができる。また、ロックカバーを開状態にすれば、雄バックルと雌バックルとの係合及び開放を従来通り容易に行うことができる。
【００１０】
上記のような目的を達成するために、本発明の構成は、前記バックルにおいて、前記係合部材は、回転自在な回転板を有し、当該回転板に形成された係合子と前記バックル本体に形成された係合子とが係合することによって、ロックカバーを閉状態に維持することを特徴とする。
【００１１】
この構成によれば、意識的に回転板を回した時のみロックカバーの開閉を行うことができるので、誤開放を確実に防止することができる。
【００１２】
上記のような目的を達成するために、本発明の構成は、前記バックルにおいて、前記係合部材の回転板は、当該回転板を回転させる回転手段が挿入される溝を有することを特徴とする。
【００１３】
ここで、前記溝は、コイン等の薄片が挿入可能な溝である。この構成によれば、回転板の溝への意識的な薄片の挿入動作とその薄片による回転板の意識的な回転動作を行った時のみロックカバーの開閉を行うことができるので、誤開放を確実に防止することができる。
【００１４】
【発明の実施の形態】
以下、本発明の好適な実施の形態（以下、実施形態という）を図面に基づき説明する。
【００１５】
図１（ａ），（ｂ）には、本実施形態のロックカバー付きバックル２０の上面図及び側面図が示されている。なお、雄バックル及び雌バックル等の基本構成は、図５に示した従来の物と同じなので、同一の符号を付しその説明を省略する。
【００１６】
前記雄バックル１４及び雌バックル１６は、例えばプラスチック等の樹脂や金属等で形成され、それぞれベルト１２ａ，１２ｂに接続固定されている。
【００１７】
本実施形態の特徴的事項は、前記雄バックル１４と雌バックル１６とが接続係合している時に、前記雌バックル１６の開放口１６ｂから露出する雄バックル１４の係合爪１４ａ（ロック部）を覆う開閉自在なロックカバー２２が設けられ、当該ロックカバー２２がその閉動作を維持するところである。
【００１８】
前記ロックカバー２２は、バックル１０と同様にプラスチック等の樹脂や金属で形成され、図２（ｂ）の断面図に示すように断面略コの字状を呈している。このロックカバー２２の上面部２２ａ及び側面部２２ｂによって、前記雌バックル１６の開放口１６ｂから露出する雄バックル１４の係合爪１４ａ（ロック部）を覆っている。
【００１９】
また、前記バックルカバー２２は、図１（ｂ）、及び図２（ａ）の裏面図に示すように端部にピン穴２４を有し、図示しないピンによって雌バックル１６の一部に接続されている。その結果、図１（ｂ）に示すように雌バックル１６に対して、ロックカバー２２が図中矢印Ｂ1，Ｂ2方向に開閉自在になる。そして、前記ロックカバー２２が開状態になった時のみ前記係合爪１４ａを操作して、前記雄バックル１４と雌バックル１６との接続係合を開放することができる。また、ロックカバー２２が閉状態になった時は、前記係合爪１４ａに直接触れることができないので、前記雄バックル１４と雌バックル１６との接続係合を開放することができない。
【００２０】
前記ロックカバー２２は、前記閉状態を維持する係合部材２６を有している。この係合部材２６は、図２（ｃ）に示すように、ロックカバー２２に対して回転自在な回転板２６ａと、当該回転板２６ａに固着された係合子２６ｂで構成されている。そして、図３（ａ）に示すように、ロックカバー２２の表面側から前記係合子２６ｂがロックカバー２２を貫通するように装着される。前記回転板２６ａの上面、すなわち、図１（ａ）に示す側には、例えば、幅２ｍｍ程度の溝２６ｃが形成されている。この溝２６ｃは、コイン（例えば、１００円硬貨）等が挿入可能であり、コインを溝２６ｃに挿入した状態で回転することによって、前記回転板２６ａを回すことができる。また、係合子２６ｂは、シャフト２８の先端にフック３０を有し、図３（ｂ）に示すように、雄バックル１４に形成されたロックバー３２に係合可能になっている。
【００２１】
すなわち、前記回転板２６ａがコイン等によって回転させられ、前記フック３０がロックバー３２と平行になった場合に、ロックカバー２２と雄バックル１４との係合が開放される。また、回転板２６ａが回転させられ、前記フック３０とロックバー３２とが直交した場合に、ロックカバー２２と雄バックル１４との係合ロックが行われる。つまり、図３（ａ），（ｂ）で示す状態のように、前記フック３０がロックバー３２と平行になりロックカバー２２と雄バックル１４との係合が開放された場合に、図１（ｂ）において、ロックカバー２２のＢ1方向への開動作が可能になり、雄バックル１４の係合爪１４ａの付勢が可能になり、雄バックル１４と雌バックル１６との接続を開放することができる。
【００２２】
逆に、図１（ｂ）において、ロックカバー２２のＢ1方向への閉動作が行われた後、図４（ａ）に示すように、コイン等により回転板２６ａを図１（ａ）の状態から９０°回転させ、図４（ｂ），（ｃ）で示す状態のように、前記フック３０がロックバー３２とが直交して係合した場合、ロックカバー２２と雄バックル１４とが係合され、雄バックル１４の係合爪１４ａの露出がロックカバー２２によって遮られ、雄バックル１４と雌バックル１６との接続を開放することができなくなる。
【００２３】
このように、ロック部である係合爪１４ａがロックカバー２２により完全に覆われるので、誤って触れてしまうことが防止され、誤開放を確実に防止することができる。また、ロックカバー２２を開状態にすれば、ロック部である係合爪１４ａが露出し、雄バックル１４と雌バックル１６との係合及び開放を従来通り容易に行うことができる。
【００２４】
なお、図１（ａ），（ｂ）に示すように、回転板２６ａがロックカバー２２の表面から突出しない形状にすれば、当該回転板２６ａは所定の回転手段（本実施形態ではコイン）のみでしか操作できなくなり、誤開放をより確実に防止することができる。また、本実施形態のように回転手段に通常保持するコインを利用することによって、特別な工具等を携帯する必要が無く、ロックカバー２２の操作性が向上する。
【００２５】
なお、回転板２６ａの裏面（シャフト２８が植設されている面）と、この面が接するロックカバー２２の表面にそれぞれ凹凸を設けて、『開』動作位置と『閉』動作位置（図１（ａ）参照）とにおいて、クリック感を持たせるようにすれば、ロックカバー２２の意識的な使用を利用者に認識させることができる。
【００２６】
なお、本実施形態において、ロックカバーを雌バックルに回動自在に配置し、フックによって雄バックルと係合させること構成を説明したが、ロックカバーの配置や係合相手は任意であり、ロックカバーが、雄バックルと雌バックルとの係合部を覆い、かつ雄バックルと雌バックルとのいずれかに保持される構成であれば、本実施形態と同様の効果を得ることができる。また、本実施形態では回転板側にフックを形成したが、回転板側に凹部を設け、バックル側に設けられた凸部と係合するようにしても同様の効果が得られる。
【００２７】
また、本実施形態のロックカバーや回転板や溝、フック、ロックバー等の形状や配置は一例であり、ロックカバーが、雄バックルと雌バックルとの係合部を覆い、かつ雄バックルと雌バックルとのいずれかに保持される構成であれば、本実施形態と同様の効果を得ることができる。
【００２８】
【発明の効果】
本発明によれば、バックル本体のロック部がロックカバーにより完全に覆われるので、誤って触れてしまうことが防止され、誤開放を確実に防止することができる。また、ロックカバーを開状態にすれば、雄バックルと雌バックルとの係合及び開放を従来通り容易に行うことができる。
【図面の簡単な説明】
【図１】  本発明の実施形態に係るロックカバー付きバックルのロックカバーの開動作可能状態を示す説明図である。
【図２】  本発明の実施形態に係るロックカバー付きバックルのロックカバーの構成を説明する説明図である。
【図３】  本発明の実施形態に係るロックカバー付きバックルのロックカバーの係合方法を説明する説明図である。
【図４】  本発明の実施形態に係るロックカバー付きバックルのロックカバーの閉動作状態を示す説明図である。
【図５】  従来のバックルを説明する説明図である。
【符号の説明】
１２ａ，１２ｂ  ベルト、１４  雄バックル、１４ａ  係合爪、１６  雌バックル、１６ｂ  開放口、２０、ロックカバー付きバックル、２２  ロックカバー、２４  ピン穴、２６  係合部材、２６ａ  回転板、２６ｃ  溝。
【図１】
0003880689.tif 000002
【図２】
0003880689.tif 000003
【図３】
0003880689.tif 000004
【図４】
0003880689.tif 000005
【図５】
0003880689.tif 000006